(57)【要約】【課題】電線に風や倒木などによる振動や衝撃などが加わっても、碍子が外れにくい電線巻付けバインドを提供する。【解決手段】金属線５の長手方向の中央部を屈曲交差させて碍子係合用の環状部１０を形成し、金属線５の両端部に電線巻付け用の螺旋部２０ａ、２０ｂを屈曲形成する。【選択図】図１
2007128753.tif 000002
【特許請求の範囲】
【請求項１】
金属線の長手方向の中央部を屈曲交差させて碍子係合用の環状部を形成し、前記金属線の両端部に電線巻付け用の螺旋部を屈曲形成して構成したことを特徴とする電線巻付けバインド。
【請求項２】
前記金属線の両端部に設けられた前記螺旋部は同一巻付け方向に屈曲形成されていると共に前記金属線が交差する交差部は電線を狭持するように形成されて前記螺旋部の巻付け方向と同一方向に形成されていることを特徴とする請求項１記載の電線巻付けバインド。
【請求項３】
前記金属線が、絶縁体で被覆されていることを特徴とする請求項１又は２に記載の電線巻付けバインド。
【発明の詳細な説明】
【技術分野】
【０００１】
本発明は、架空電線を碍子に緊縛支持する電線巻付けバインドに係わり、特に碍子が電線巻付けバインドから外れるのを防止した電線巻付けバインドに関する。
【背景技術】
【０００２】
従来の電線巻付けバインドの一例を示す概略上面図を図５に示す。図５に示すように、従来の電線巻付けバインド５００は、架空電線の直径よりも小さい直径を有する金属線５０５からなり、金属線５０５の長手方向の中央部に、碍子の首部に巻回できるように半円弧部５１０が屈曲形成され、その両端部に電線巻付け用の螺旋部５２０ａ、５２０ｂが屈曲形成されている。そして、半円弧部５１０は、碍子の首部に添えられた架空電線に対し、碍子の首部を挟んだ反対側に掛けられ、両端部の螺旋部５２０ａ、５２０ｂが架空電線に捲き付けられる。すると、金属線５０５の弾性力により螺旋部５２０ａ、５２０ｂで架空電線が把持され、碍子が架空電線に緊縛支持されることになる。
【０００３】
しかしながら、このような電線巻付けバインド５００では、半円弧部５１０が架空電線と碍子の首部を狭持することにより碍子を緊縛支持しているので、半円弧部５１０の径が大きくなると碍子が電線巻付けバインド５００から外れてしまうという問題があった。具体的には、電線に風や倒木などによる振動や衝撃などが加わると、巻付けバインド５００が架空電線の長手方向に伸びてしまい、半円弧部５１０の径が大きくなって巻付けバインド５００から碍子が外れてしまうという問題があった。また、このような電線巻付けバインド５００では、架空電線に碍子を強固に固定するために、螺旋部５２０ａ、５２０ｂを比較的長くしなければならないという問題があった。
【０００４】
このような問題を解決する方法として、二本の金属線からなる電線巻付けバインドが提案されているが（特許文献１参照）、構造が複雑で高価であり、電線に取付ける際に手間がかかるという問題があった。
【０００５】
【特許文献１】特開平７−３１２１３０号公報
【発明の開示】
【発明が解決しようとする課題】
【０００６】
本発明は、上述した事情に鑑み、電線に風や倒木などによる振動や衝撃などが加わっても、碍子が外れにくい電線巻付けバインドを提供することを目的とする。
【課題を解決するための手段】
【０００７】
上記課題を解決する本発明の第１の態様は、金属線の長手方向の中央部を屈曲交差させて碍子係合用の環状部を形成し、前記金属線の両端部に電線巻付け用の螺旋部を屈曲形成して構成したことを特徴とする電線巻付けバインドにある。
【０００８】
かかる第１の態様では、強固に碍子に電線を固定することができる。
【０００９】
本発明の第２の態様は、前記金属線の両端部に設けられた前記螺旋部は同一巻付け方向に屈曲形成されていると共に前記金属線が交差する交差部は電線を狭持するように形成されて前記螺旋部の巻付け方向と同一方向に形成されていることを特徴とする第１の態様記載の電線巻付けバインドにある。
【００１０】
かかる第２の態様では、より強固に碍子に電線を固定することができる。
【００１１】
本発明の第３の態様は、前記金属線が、絶縁体で被覆されていることを特徴とする第１又は２の態様に記載の電線巻付けバインドにある。
【００１２】
かかる第３の態様では、金属線が電線に食い込むことを防止することができると共に、電線巻付けバインドを取り付ける際の電線の損傷を防止することができる。
【発明の効果】
【００１３】
本発明に係る電線巻付けバインドによると、電線に風や倒木などによる振動や衝撃などが加わっても、碍子から外れにくい巻付けバインドを提供することができ、電線の維持費などを削減することができる。
【発明を実施するための最良の形態】
【００１４】
以下、本発明を実施するための最良の形態について説明する。なお、本実施形態の説明は例示であり、本発明は以下の説明に限定されない。
【００１５】
（実施形態１）
図１は、本発明の実施形態１に係る電線巻付けバインドを示す概略上面図である。図１に示すように、本実施形態に係る電線巻付けバインド１は表面が絶縁体で被覆された金属線５からなり、金属線５の長手方向の中央部に、金属線５を屈曲交差させて碍子係合用の環状部１０が形成されていると共に、金属線５の両端部にＡからＢに向かって時計回りに旋回する電線巻付け用の螺旋部２０ａ、２０ｂが屈曲形成されている。
【００１６】
図２は実施形態１に係る電線巻付けバインドで架空電線に碍子を緊縛支持した状態を示す概略上面図であり、図３は図２に示すＣ方向から見た実施形態１に係る電線巻付けバインドで架空電線に碍子を緊縛支持した状態の概略側面図である。図２及び図３に示されるように、螺旋部２０ａ、２０ｂはＡからＢに向かって時計回りに旋回するように架空電線１００に巻き付けられている。すなわち、螺旋部２０ａ、２０ｂは同一巻き付け方向に架空電線１００に巻き付けられている。
【００１７】
環状部１０は、螺旋部２０ａ方向から延びる金属線５が架空電線１００の上側から引き出され、その金属線５が碍子２００の首部を螺旋部２０ｂ方向から螺旋部２０ａ方向へと１回巻回された後、螺旋部２０ｂ方向の架空電線１００の下側に引き出されることにより形成されている。このように形成された環状部１０では、架空電線１００の下側から碍子２００の首部へ引き出される金属線５と、碍子２００の首部から架空電線１００の上側に引き出される金属線５とにより交差部１１が形成されており、交差部１１により架空電線１００を狭持することができるようになっている。
【００１８】
また、環状部１０を構成する金属線５は、螺旋部２０ａ、２０ｂの巻付け方向と同一方向に延設されて螺旋部２０ａ、２０ｂに接続されるようになっている。すなわち、環状部１０は螺旋部２０ａ、２０ｂの巻付け方向と同一方向に形成されている。
【００１９】
なお、金属線５は、図４に示すように、絶縁体７で被覆された中心金属６で構成されている。中心金属６は高い剛性及び耐久性を有するものであれば特に限定されない。たとえば、中心金属６として硬質アルミニウム、硬質銅、硬鋼線材などが挙げられる。また、絶縁体７も特に限定されない。しかしながら、絶縁体７の厚みは、金属線が電線に食い込むことを防止することができると共に、電線巻付けバインドを取り付ける際の電線の損傷を防止することができるので、より厚い方が好ましい。
【００２０】
このように構成された電線巻付けバインド１によると、碍子２００が環状部１０により緊縛支持されるため、たとえ電線に風や倒木などによる振動や衝撃などが加わったとしても、電線巻付けバインド１から碍子２００が外れることを防止することができる。すなわち、電線に風や倒木などによる振動や衝撃などが加わって電線巻付けバインド１が長手方向に伸びたとしても、環状部１０の直径が大きくなることはないので、電線巻付けバインド１から碍子２００が外れることを防止することができる。
【００２１】
また、たとえ架空電線１００が自重によって下方に移動したとしても、電線巻付けバインド１から碍子２００が外れることはなく、むしろより強固に固定することができる。すなわち、架空電線１００が自重によって下方に移動すると、架空電線１００と碍子２００との距離が大きくなることになる。すると、環状部１０を形成する金属線５が引っ張られ、碍子２００の首部は環状部１０によってより強く締め付けられることになる。したがって、結果として架空電線１００は碍子２００により強固に固定されることになる。
【００２２】
さらに、本実施形態では、上述したようにして架空電線１００を碍子２００に強固に固定することができるので、従来の電線巻付けバインドと比較して、螺旋部２０ａ、２０ｂをより短くすることができる。また、螺旋部２０ａ、２０ｂをより短くすることができることから、架空電線１００に設けられる接続箇所の絶縁カバー、被覆不良箇所絶縁処理箇所等と、電線巻付けバインド１との間の離隔距離を充分に確保することができる。
【００２３】
次に、電線巻付けバインド１を介して架空電線１００を碍子２００に固定する方法について説明する。まず、両端部の螺旋部２０ａ、２０ｂ間の距離を縮めることにより、環状部１０の径を広げ、環状部１０の内側に碍子の首部を挿入する。その後、両端部の螺旋部２０ａ、２０ｂ間の距離を広げることにより、碍子２００の首部を環状部１０で締め付けるようにする。そして、両端部の螺旋部２０ａ、２０ｂを共に架空電線１００に巻き付けることにより、架空電線１００を碍子２００に固定する。このようにして、電線巻付けバインド１を介して架空電線１００を碍子２００に固定することができる。
【００２４】
（他の実施形態）
実施形態１では、環状部１０は上述したように形成されているが、金属線５を用いて環状部を形成することができれば特に限定されない。たとえば、環状部１０は、２又はそれ以上で巻回した金属線５で形成されるようにしてもよい。
【００２５】
また、実施形態１では、環状部１０は、螺旋部２０ａ方向から延びる金属線５が架空電線１００の上側から引き出され、その金属線５が碍子２００の首部を螺旋部２０ｂ方向から螺旋部２０ａ方向へと１回巻回された後、螺旋部２０ｂ方向の架空電線１００の下側に引き出されることにより形成されたが、螺旋部２０ａ方向から延びる金属線５が架空電線１００の下側から引き出され、その金属線５が碍子２００の首部を螺旋部２０ｂ方向から螺旋部２０ａ方向へと１回巻回された後、螺旋部２０ｂ方向の架空電線１００の上側に引き出されることにより形成されると共に、交差部１１を形成する金属線５の両端が、螺旋部２０ａ、２０ｂの巻付け方向に延設されて螺旋部２０ａ、２０ｂに接続されるようにしてもよい。このように形成された環状部１０では、実施形態１と同様に、架空電線１００の下側から碍子２００の首部へ引き出される金属線５と、碍子２００の首部から架空電線１００の上側に引き出される金属線５とにより交差部１１が形成され、交差部１１により架空電線１００を狭持することができる。したがって、このようにしても実施形態１の電線巻付けバインドと同様の効果が得られる。なお、この場合には、螺旋部２０ａ、２０ｂは、金属線５の両端部にＡからＢに向かって反時計回りに旋回するように屈曲形成されるのが好ましい。
【００２６】
さらに、環状部１０は、螺旋部２０ａ方向から延びる金属線５が架空電線１００の上側から引き出され、その金属線５が碍子２００の首部を螺旋部２０ｂ方向から螺旋部２０ａ方向へと１回巻回された後、螺旋部２０ｂ方向の架空電線１００の上側に引き出されることにより形成されると共に、交差部１１を形成する金属線５の両端が、螺旋部２０ａ、２０ｂの巻付け方向に延設されて螺旋部２０ａ、２０ｂに接続されるようにしてもよい。このようにしても、実施形態１の電線巻付けバインドよりも多少劣るが、実施形態１の電線巻付けバインドと同様の効果が得られる。なお、この場合には、螺旋部２０ａは、金属線５の両端部にＡからＢに向かって反時計回りに旋回するように屈曲形成され、螺旋部２０ｂは、金属線５の両端部にＡからＢに向かって時計回りに旋回するように屈曲形成されるのが好ましい。
【００２７】
また、環状部１０は、螺旋部２０ａ方向から延びる金属線５が架空電線１００の下側から引き出され、その金属線５が碍子２００の首部を螺旋部２０ｂ方向から螺旋部２０ａ方向へと１回巻回された後、螺旋部２０ｂ方向の架空電線１００の下側に引き出されることにより形成されると共に、交差部１１を形成する金属線５の両端が、螺旋部２０ａ、２０ｂの巻付け方向に延設されて螺旋部２０ａ、２０ｂに接続されるようにしてもよい。このようにしても、実施形態１の電線巻付けバインドよりも多少劣るが、実施形態１の電線巻付けバインドと同様の効果が得られる。なお、この場合には、螺旋部２０ａは、金属線５の両端部にＡからＢに向かって時計回りに旋回するように屈曲形成され、螺旋部２０ｂは、金属線５の両端部にＡからＢに向かって反時計回りに旋回するように屈曲形成される必要がある。
【図面の簡単な説明】
【００２８】
【図１】実施形態１に係る電線巻付けバインドを示す概略上面図である。
【図２】実施形態１に係る電線巻付けバインドで架空電線に碍子を緊縛支持した状態を示す概略上面図である。
【図３】図２に示すＣ方向から見た実施形態１に係る電線巻付けバインドで架空電線に碍子を緊縛支持した状態の概略側面図である。
【図４】実施形態１に係る金属線の断面図である。
【図５】従来の電線巻付けバインドの一例を示す概略上面図である。
【符号の説明】
【００２９】
１  電線巻付けバインド
５  金属線
６  中心金属
７  絶縁体
１０  環状部
１１  交差部
２０ａ、２０ｂ  螺旋部
１００  架空電線
２００  碍子
【図１】
2007128753.tif 000003
【図２】
2007128753.tif 000004
【図３】
2007128753.tif 000005
【図４】
2007128753.tif 000006
【図５】
2007128753.tif 000007